(57)【要約】      （修正有）【課題】コンパクトゴルフバッグを提供する。【解決手段】上部フレームと、底部フレームと、上部フレームと底部フレームとの間で両者を連結する円筒状の胴体シートと、上部フレーム及び底部フレームに取り付けられる複数の回転固定具と、回転固定具にその一端が取り付けられるつっかい棒０４と、回転固定具を上部フレーム及び底部フレームに取り付けるためのリベット０６と、つっかい棒の外壁に摺動可能に装着された自在回転係止具０７とを備え、上部フレームに第一半円状取付孔を設け、第一半円状取付孔の上端にリベットを挿通する第一リベット孔を設け、底部フレームに第二半円状取付孔を設け、第二半円状取付孔の下端にリベットを挿通する第二リベット孔を設け、第一半円状取付孔及び第二半円状取付孔にリベットを用いて回転固定具を取り付ける。これにより、つっかい棒を容易に組み立てたりと取り外したりすることができる。【選択図】図８
0003219649.tif 000002
【実用新案登録請求の範囲】
【請求項１】
上部フレームと、底部フレームと、胴体シートと、回転具固定穴と、つっかい棒と、リベットと、自在回転係止具とを備え、
前記上部フレームに第一半円状取付孔を設け、前記第一半円状取付孔の上端に前記リベットを挿通する第一リベット孔を設け、
前記底部フレームに第二半円状取付孔を設け、前記第二半円状取付孔の下端に前記リベットを挿通する第二リベット孔を設け、
前記上部フレーム及び前記底部フレームに回転具固定穴を設け、
前記つっかい棒の外壁に自在回転係止具を設けることを特徴とする、コンパクトゴルフバッグ。
【請求項２】
前記つっかい棒の一端を前記底部フレームの前記第二半円状取付孔に装着し、前記つっかい棒の他端を前記上部フレームに設けられた回転具固定穴と、前記リベットと、前記第一半円状取付孔と、前記自在回転係止具とを挿通させて、前記つっかい棒を前記上部フレームに取り付けることを特徴とする、請求項１記載のコンパクトゴルフバッグ。
【請求項３】
前記つっかい棒の一端を前記上部フレームの前記第一半円状取付孔に装着し、前記つっかい棒の他端を前記底部フレームに設けられた回転具固定穴と、前記リベットと、前記第二半円状取付孔と、前記自在回転係止具とを挿通させて、前記つっかい棒を前記底部フレームに取り付けることを特徴とする、請求項１記載のコンパクトゴルフバッグ。
【請求項４】
前記第一半円状取付孔が矩形孔であり、前記第二半円状取付孔が矩形孔であることを特徴とする、請求項１記載のコンパクトゴルフバッグ。
【考案の詳細な説明】
【技術分野】
【０００１】
本考案は体を健康に鍛えるスポーツ器材に関し、特に容易に組み立てられるゴルフバッグに関する。
【背景技術】
【０００２】
従来のゴルフバッグのつっかい棒を通す方法は、まず、上部フレームと、胴体シートと、底部フレームを固定し、一つの個体に構成した後、上部フレームの格子内部から、つっかい棒を通す。しかし、この方法では、生産作業に次の欠点が残されている。
【考案の概要】
【考案が解決しようとする課題】
【０００３】
上部フレームと、胴体シートと、底部フレームを一つの個体に固定するとき、上部フレーム格子孔が小さいことから、格子孔内部から、つっかい棒を取り付ける際に、作業の手が格子孔の大きさによって制限を受け、敏捷に作業することが出来ないばかりではなく、つっかい棒を底部フレームの取付孔に取り付けるときは、距離が遠くて位置合わせが難しい。さらに、つっかい棒がいったん底部フレームの孔部に固定させた後、もう一端は大きい力でつっかい棒を曲げて、手が滑らないようしっかりに掴み、上部フレームのつっかい棒取付孔に照準した上、つっかい棒を上部フレームのつっかい棒の取付孔に取り付けなければならない。さらに、いったん取り付けた後、取り外すことは非常に困難である。
【０００４】
本考案は前述した従来製品の欠点を解消するものであり、斬新なコンパクトゴルフバッグを提供する。
【課題を解決するための手段】
【０００５】
本考案の一目的は、既存技術の不足点についてなされたものであり、コンパクトゴルフバッグを提供する。フレームと、底部フレームと、胴体シートをミシン加工とリベット接合方式により固定し、一つの個体に形成する。回転具固定穴と、自在回転係止具によって、つっかい棒を容易に組み立てと取り外しができる。
【０００６】
本考案の目的は、以下に示す技術手段によって、実現される。
【０００７】
本考案のコンパクトゴルフバッグは、上部フレームと、胴体シートと、底部フレームと、つっかい棒と、自在回転係止具と、回転具固定穴と、リベットと、を含む。回転具固定穴がリベットによって、上部フレームの半円状リベット孔を通して、まず、回転具固定穴を上部フレームの半円状取付孔に締め付ける。前述回転具固定穴をリベットと底部フレームの半円状リベット孔に通して、まず、回転具固定穴を底部フレームの半円状取付孔に締め付ける。前述つっかい棒に自在回転係止具を取り付ける際は、まず、つっかい棒の一端を上部フレームと底部フレームいずれか一つのつっかい棒取付孔に取り付けて、もう一端を回転具固定穴のつっかい棒に通して、半円状取付孔と回転具固定穴の取り付け、摺動と轉動自在に回転係止具を回転固定具の係合溝に締結させて、組み立てを完成する。
【０００８】
従来技術に比べて、つっかい棒の組み立てが便利かつ簡単であり、時間と労力を軽減できる。
【図面の簡単な説明】
【０００９】
【図１】本考案のコンパクトゴルフバッグ上部フレーム、底部フレームと回転具固定穴の組み立て立体図である。
【図２】本考案のコンパクトゴルフバッグの上部フレームに関わる３面図である。
【図３】本考案のコンパクトゴルフバッグの底部フレームに関わる３面図である。
【図４】本考案のコンパクトゴルフバッグの回転具固定穴に関わる３面図と立体図である。
【図５】本考案のリベットに関わる立体図である。
【図６】本考案の自在回転係止具に関わる３面図と立体図である。
【図７】本考案のコンパクトゴルフバッグの上部フレーム、胴体シート、底部フレームを固定した後立体図である。
【図８】本考案のコンパクトゴルフバッグつっかい棒、バッグ胴体シート、回転具固定穴、リベット、自在回転係止具の組み立て立体態様図である。
【考案を実施するための形態】
【００１０】
審査官の方々が本考案の内容のさらなる理解を図るため、下記の説明に図式を組み合わせ、参考にしていただきたい。
【実施例】
【００１１】
図１ないし図８に示すように、本考案は上部フレーム０１と、底部フレーム０２と、胴体シート０３と、つっかい棒０４によって、組み合わされる。
【００１２】
図１に示すように、まず、上部フレーム０１と、底部フレーム０２と、胴体シート０３をミシン加工方式により固定し、一つの個体を構成する。
【００１３】
図１に示すように、回転固定具０５がリベット０６により順を追って、半円状リベット孔１０と回転具固定穴リベット孔１１を通して、回転固定具０５を半円状取付孔０８に取り付ける。
【００１４】
図８に示すように、つっかい棒０４に自在回転係止具０７を装着する。
図１ないし図８に示すように、つっかい棒０４の一端をつっかい棒取付孔０９に装着し、もう一端を回転具固定穴内壁１３に取り付ける。回転軌道線１４に沿って回転固定具０５を回し、つっかい棒０４が回転固定具内壁１３の摺動軌道線１５に沿って、回転固定具内壁１３に摺動し、つっかい棒０４が回転固定具底壁１２に摺動したとき、回転固定具０５と半円状取付孔０８がちょうど一体に整合され、つっかい棒０４のもう一端が回転固定具０５と片側取付孔０８の間に位置される。自在回転係止具０７が摺動軌道線１６に沿って摺動することによって、つっかい棒０４と、回転固定具０５と半円状取付孔０８とを固定し、自在回転係止具０７が回転軌道線１９に沿って回転し、自在回転係止具０７の係着具１８を回転具固定具０７が落とされないように係合溝１７に係着して、組み立てを完成する。
【００１５】
つっかい棒０４の取り出しを必要とする場合は、自在回転係止具０７を回して、自在回転係止具０７を戻せば、つっかい棒０４を簡単に取り出せる。
前述上部フレームの半円状取付孔０８は例えば矩形孔であり、前述底部フレームの半円状取付孔０８は例えば矩形孔である。
【００１６】
前述回転固定具０５と、自在回転係止具０７を上部フレーム０１と底部フレーム０２いずれか一つの素子に取り付けても良い。
【００１７】
前述自在回転係止具０７は例えば円形、楕円形、ひし形または矩形いずれか一つの形状であっても良い。
【符号の説明】
【００１８】
０１   上部フレーム
０２   底部フレーム
０３   胴体シート
０４   つっかい棒
０５   回転具固定穴
０６   リベット
０７   自在回転係止具
０８   半円状取付孔
０９   つっかい棒取付孔
１０   半円状リベット孔
１１   回転具固定穴リベット孔
１２   回転具固定穴底壁
１３   回転具固定穴内壁
１４   回転軌跡線
１５   摺動軌道線
１６   摺動軌道線
１７   回転具固定穴係合溝
１８   係着具
１９   回転軌道線
【図１】
0003219649.tif 000003
【図２】
0003219649.tif 000004
【図３】
0003219649.tif 000005
【図４】
0003219649.tif 000006
【図５】
0003219649.tif 000007
【図６】
0003219649.tif 000008
【図７】
0003219649.tif 000009
【図８】
0003219649.tif 000010
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
上部フレームと、底部フレームと、前記上部フレームと前記底部フレームとの間で両者を連結する円筒状の胴体シートと、前記上部フレーム及び前記下部フレームに取り付けられる複数の回転固定具と、前記回転固定具にその一端が取り付けられるつっかい棒と、前記回転固定具を前記上部フレーム及び前記下部フレームに取り付けるためのリベットと、前記つっかい棒の外壁に摺動可能に装着された自在回転係止具とを備え、
前記上部フレームに第一半円状取付孔を設け、前記第一半円状取付孔の上端に前記リベットを挿通する第一リベット孔を設け、
前記底部フレームに第二半円状取付孔を設け、前記第二半円状取付孔の下端に前記リベットを挿通する第二リベット孔を設け、
前記第一半円状取付孔及び前記第二半円状取付孔に前記リベットを用いて前記回転固定具を取り付けることを特徴とする、コンパクトゴルフバッグ。
【請求項２】
前記つっかい棒の一端を前記底部フレームの前記第二半円状取付孔に装着し、前記つっかい棒の他端を、前記上部フレームに設けられた前記第一半円状取付孔に前記リベットを用いて取り付けられた前記回転固定具と、前記自在回転係止具とを挿通させることによって、前記つっかい棒を前記上部フレームに取り付けることを特徴とする、請求項１記載のコンパクトゴルフバッグ。
【請求項３】
前記つっかい棒の一端を前記上部フレームの前記第一半円状取付孔に装着し、前記つっかい棒の他端を、前記底部フレームに設けられた前記第二半円状取付孔に前記リベットを用いて取り付けられた前記回転固定具と、前記自在回転係止具とを挿通させることによって、前記つっかい棒を前記底部フレームに取り付けることを特徴とする、請求項１記載のコンパクトゴルフバッグ。
【請求項４】
前記第一半円状取付孔が矩形孔であり、前記第二半円状取付孔が矩形孔であることを特徴とする、請求項１記載のコンパクトゴルフバッグ。
【手続補正書】
【提出日】平成30年11月7日(2018.11.7)
【手続補正１】
【補正対象書類名】実用新案登録請求の範囲
【補正対象項目名】全文
【補正方法】変更
【補正の内容】
【実用新案登録請求の範囲】
【請求項１】
上部フレームと、底部フレームと、前記上部フレームと前記底部フレームとの間で両者を連結する円筒状の胴体シートと、前記上部フレーム及び前記底部フレームに取り付けられる複数の回転固定具と、前記回転固定具にその一端が取り付けられるつっかい棒と、前記回転固定具を前記上部フレーム及び前記底部フレームに取り付けるためのリベットと、前記つっかい棒の外壁に摺動可能に装着された自在回転係止具とを備え、
前記上部フレームに第一半円状取付孔を設け、前記第一半円状取付孔の上端に前記リベットを挿通する第一リベット孔を設け、
前記底部フレームに第二半円状取付孔を設け、前記第二半円状取付孔の下端に前記リベットを挿通する第二リベット孔を設け、
前記第一半円状取付孔及び前記第二半円状取付孔に前記リベットを用いて前記回転固定具を取り付けることを特徴とする、コンパクトゴルフバッグ。
【請求項２】
前記つっかい棒の一端を前記底部フレームの前記第二半円状取付孔に装着し、前記つっかい棒の他端を、前記上部フレームに設けられた前記第一半円状取付孔に前記リベットを用いて取り付けられた前記回転固定具と、前記自在回転係止具とを挿通させることによって、前記つっかい棒を前記上部フレームに取り付けることを特徴とする、請求項１記載のコンパクトゴルフバッグ。
【請求項３】
前記つっかい棒の一端を前記上部フレームの前記第一半円状取付孔に装着し、前記つっかい棒の他端を、前記底部フレームに設けられた前記第二半円状取付孔に前記リベットを用いて取り付けられた前記回転固定具と、前記自在回転係止具とを挿通させることによって、前記つっかい棒を前記底部フレームに取り付けることを特徴とする、請求項１記載のコンパクトゴルフバッグ。
【請求項４】
前記第一半円状取付孔が矩形孔であり、前記第二半円状取付孔が矩形孔であることを特徴とする、請求項１記載のコンパクトゴルフバッグ。